【手続補正書】
【提出日】平成20年6月18日(2008.6.18)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2008505240.tif 000001
〔式中、
Ｒ1およびＲ2は、同一または異なっていてもよく、Ｃ1〜Ｃ25アルキル基（フッ素、塩素または臭素により置換されていてもよい）、アリル基（Ｃ1〜Ｃ4アルキルで１〜３回置換されていてもよい）、シクロアルキル基、シクロアルキル基（Ｃ1〜Ｃ4アルキル、ハロゲン、ニトロ、またはシアノで１〜３回置換されていてもよいフェニルにより１または２回縮合されていてもよい）、アルケニル基、シクロアルケニル基、アルキニル基、ハロアルキル基、ハロアルケニル基、ハロアルキニル基、ケトン基、アルデヒド基、エステル基、カルバモイル基、ケトン基、シリル基、シロキサニル基、Ａ3または−ＣＲ7Ｒ8−（ＣＨ2）m−Ａ3〔式中、
Ｒ7およびＲ8は、互いに独立して、水素、Ｃ1〜Ｃ4アルキル、またはフェニル（Ｃ1〜Ｃ4アルキルで１〜３回置換されていてもよい）を表し、
Ａ3は、アリールまたはヘテロアリール、特にフェニルまたは１−もしくは２−ナフチル（Ｃ1〜Ｃ8アルキルおよび／またはＣ1〜Ｃ8アルコキシで１〜３回置換されていてもよい）を表し、
ｍは、０、１、２、３または４を表す〕から選択され、
Ｒ3、Ｒ3'、Ｒ6およびＲ6'は、互いに独立して、水素、ハロゲン、Ｃ1〜Ｃ18アルキル、ハロゲン置換されたＣ1〜Ｃ18アルキル、Ｃ1〜Ｃ18アルコキシ、Ｃ1〜Ｃ18アルキルチオ、シクロアルキル、場合により置換されたアリールもしくはアリールアルキルを表し、ここで、置換基は、アルコキシ、ハロゲンもしくはアルキルであり、
Ｒ4およびＲ4'は、互いに独立して、Ｒ3、もしくは基：−ＮＡｒ1Ａｒ2であり、
Ｒ5およびＲ5'は、互いに独立して、Ｒ3、もしくは基：−ＮＡｒ3Ａｒ4であるか、または
Ｒ3'とＲ4'、ならびに／もしくはＲ3とＲ4は、一緒に、基：
【化２】
2008505240.tif 000002
であるか、または
Ｒ5'とＲ6'、ならびに／もしくはＲ5とＲ6は、一緒に、基：
【化３】
2008505240.tif 000003
であり、ここで、
Ｒ30、Ｒ31、Ｒ32およびＲ33は、互いに独立して、水素、Ｃ1〜Ｃ18アルキル、ハロゲン置換されたＣ1〜Ｃ18アルキル、Ｃ1〜Ｃ18アルコキシ、またはＣ1〜Ｃ28アルキルチオであり、
Ｒ34、Ｒ35、Ｒ36およびＲ37は、互いに独立して、水素、Ｃ1〜Ｃ18アルキル、ハロゲン置換されたＣ1〜Ｃ18アルキル、Ｃ1〜Ｃ18アルコキシ、またはＣ1〜Ｃ28アルキルチオであり、
Ａｒ1、Ａｒ2、Ａｒ3およびＡｒ4は、互いに独立して、場合により置換されていてもよいアリール基、または場合により置換されていてもよいヘテロアリール基であるが、ただし、基：Ｒ4、Ｒ4'、Ｒ5およびＲ5'の少なくとも１つが、基：−ＮＡｒ1Ａｒ2または−ＮＡｒ3Ａｒ4であること、ならびにＲ1＝Ｒ2がＣ2Ｈ5であり、Ａｒ1＝Ａｒ2＝Ａｒ3＝Ａｒ4が、
【化５】
2008505240.tif 000004
である、式：
【化４】
2008505240.tif 000005
で示される化合物、およびＲ1＝Ｒ2がＰｈであり、Ａｒ1＝Ａｒ2＝Ａｒ3＝Ａｒ4が、
【化６】
2008505240.tif 000006
である、式：
【化４】
2008505240.tif 000007
で示される化合物が除外されること、を条件とする〕で示される化合物。
【請求項２】
式（II）：
【化７】
2008505240.tif 000008
〔式中、
Ｒ1、Ｒ2、Ｒ3、Ｒ3'、Ｒ4、Ｒ4'、Ｒ6およびＲ6'は、請求項１に定義したとおりであり、
Ａｒ1、Ａｒ2、Ａｒ3およびＡｒ4は、互いに独立して、基：−Ａｒ5−Ｘ1−Ａｒ6、
【化８】
2008505240.tif 000009
であるか、またはＡｒ1とＡｒ2、ならびに／もしくはＡｒ3とＡｒ4は、結合した窒素原子と一緒になって、５もしくは６員環複素環、例えば
【化９】
2008505240.tif 000010
を形成しており、場合により置換されたフェニル基で、例えば下基のように、
【化１０】
2008505240.tif 000011
１もしくは２個で縮合されていてもよく、ここで、
Ｘ1は、−Ｃ（Ｘ2）（Ｘ3）−、−Ｏ−、−Ｓ−、−ＳＯ2−、−Ｃ（＝Ｏ）−、
【化１１】
2008505240.tif 000012
−（ＣxＨ2x）−Ｏ−（ＣyＨ2y）−（式中、ｘおよびｙのそれぞれは、０〜２０の整数であるが、ｘ＋ｙが、０になる例はない）、炭素原子を少なくとも２個有する置換もしくは非置換のアルキレン基、炭素原子を少なくとも２個有する置換もしくは非置換のアルキリデン基、または炭素原子を少なくとも２個有する置換もしくは非置換の脂環基であり、
Ａｒ5は、
【化１２】
2008505240.tif 000013
であり、
Ａｒ6は、
【化１３】
2008505240.tif 000014
であり、
Ｘ2およびＸ3は、互いに独立して、水素、Ｃ1〜Ｃ18アルキル、ハロゲン置換されたＣ1〜Ｃ18アルキル、またはフェニル（Ｃ1〜Ｃ8アルキルおよび／またはＣ1〜Ｃ8アルコキシで１〜３回置換されていてもよい）を表し、
Ｘ4は、Ｃ1〜Ｃ18アルキル、ハロゲン置換されたＣ1〜Ｃ18アルキル、またはフェニル（Ｃ1〜Ｃ8アルキルおよび／またはＣ1〜Ｃ8アルコキシで１〜３回置換されていてもよい）を表し、
Ｒ38、Ｒ39、Ｒ40、Ｒ41、Ｒ42、Ｒ43、Ｒ44およびＲ45は、互いに独立して、水素、Ｃ1〜Ｃ8アルキル、Ｃ1〜Ｃ8アルコキシまたはフェニルを表す〕で示される、請求項１記載の化合物。
【請求項３】
Ａｒ1、Ａｒ2、Ａｒ3およびＡｒ4が、互いに独立して、基：
【化１４】
2008505240.tif 000015
（式中、Ｒ38は、水素またはＣ1〜Ｃ4アルキルである、
【化１５】
2008505240.tif 000016
である）である、請求項２記載の化合物。
【請求項４】
Ｒ1およびＲ2が、同一または異なっていてもよく、Ｃ1〜Ｃ18アルキル基（例えば、メチル、エチル、ｎ−プロピル、イソプロピル、ｎ−ブチル、sec−ブチル、イソブチル、tert−ブチル、ｎ−ペンチル、２−ペンチル、３−ペンチル、２，２−ジメチルプロピル、ｎ−ヘキシル、ｎ−ヘプチル、ｎ−オクチル、１，１，３，３−テトラメチルブチル及び２−エチルヘキシル、ｎ−ノニル、デシル、ウンデシル、ドデシル、テトラデシル、ペンタデシル、ヘキサデシル、ヘプタデシル、オクタデシル）；Ｃ5〜Ｃ12シクロアルキル基、特にシクロヘキシル（Ｃ1〜Ｃ4アルキルまたはＣ1〜Ｃ4アルコキシで１〜３回置換されていてもよい）；シクロアルキル基、特にシクロヘキシル（Ｃ1〜Ｃ8アルキル、Ｃ1〜Ｃ8アルコキシ、ハロゲンおよびシアノで１〜３回置換されていてもよいフェニルで１または２回縮合されていてもよい）、特に
【化１６】
2008505240.tif 000017
（式中、Ｒ51、Ｒ52およびＲ53は、互いに独立して、水素、Ｃ1〜Ｃ8アルキル、Ｃ1〜Ｃ8アルコキシ、ハロゲンおよびシアノである）；Ｃ5〜Ｃ12シクロアルケニル基、特にシクロヘキセニル（Ｃ1〜Ｃ4アルキルまたはＣ1〜Ｃ4アルコキシで１〜３回置換されていてもよい）；Ｃ6〜Ｃ14アリール基、特に、フェニル、ビフェニリル、１−もしくは２−ナフチル（Ｃ1〜Ｃ8アルキルまたはＣ1〜Ｃ8アルコキシで１〜３回置換されていてもよい）；または−ＣＲ7Ｒ8−（ＣＨ2）m−Ａ3（式中、Ｒ7およびＲ8は、水素またはＣ1〜Ｃ4アルキルを表し、Ａ3は、Ｃ1〜Ｃ8アルキルまたはＣ1〜Ｃ8アルコキシで１〜３回置換されていてもよい、フェニルまたは１−もしくは２−ナフチルを表し、ｍは、０または１を表す）、から選択される、請求項１〜３のいずれか１項記載の化合物。
【請求項５】
【表１】
2008505240.tif 000018
から選択される、請求項１記載の化合物。
【請求項６】
ゲスト発色団およびホスト発色団を含む組成物であって、ゲスト発色団の吸収スペクトルがホスト発色団の蛍光発光スペクトルと重複しており、ここで、ホスト発色団が、５００〜７２０、好ましくは５２０〜６３０nm、より好ましくは５４０〜６００nmにホトルミネセンス発光ピークを有するジケトピロロピロールであり、ゲスト発色団が、請求項１〜５のいずれか１項記載の式Ｉで示される化合物である組成物。
【請求項７】
ホスト発色団が、式（III）：
【化１７】
2008505240.tif 000019
〔式中、
Ｒ13およびＲ14は、互いに独立して、Ｃ1〜Ｃ25アルキル（フッ素、塩素、または臭素により置換されていてもよい）；Ｃ5〜Ｃ12シクロアルキル；Ｃ5〜Ｃ12シクロアルキル（Ｃ1〜Ｃ4アルキル、ハロゲン、ニトロまたはシアノで１〜３回置換されていてもよいフェニルにより１または２回縮合されていてもよい）；シリル；Ａ6；または−ＣＲ11Ｒ12−（ＣＨ2）m−Ａ6〔式中、Ｒ11およびＲ12は、互いに独立して、水素、フッ素、塩素、臭素、シアノ、もしくはＣ1〜Ｃ4アルキル（フッ素、塩素または臭素で置換されていてもよい）、またはフェニル（Ｃ1〜Ｃ4アルキルで１〜３回置換されていてもよい）を表し、Ａ6は、フェニルまたは１−もしくは２−ナフチル（Ｃ1〜Ｃ8アルキル、Ｃ1〜Ｃ8アルコキシ、ハロゲン、ニトロ、シアノで１〜３回置換されていてもよい）；フェニル（Ｃ1〜Ｃ8アルキルまたはＣ1〜Ｃ8アルコキシで１〜３回置換されていてもよい）；ＮＲ23Ｒ24（式中、Ｒ23およびＲ24は、水素、Ｃ1〜Ｃ25アルキル、Ｃ5〜Ｃ12シクロアルキルまたはＣ6〜Ｃ24アリールを表す）を表し、特に、フェニルまたは１−もしくは２−ナフチル（Ｃ1〜Ｃ8アルキル、Ｃ1〜Ｃ8アルコキシ、ハロゲンまたはシアノで１〜３回置換されていてもよい）；フェニル（Ｃ1〜Ｃ8アルキルまたはＣ1〜Ｃ8アルコキシで１〜３回置換されていてもよい）を表し、ｍは、０、１、２、３または４を表す〕を表し、
Ａ4およびＡ5は、互いに独立して、
【化１８】
2008505240.tif 000020
〔式中、Ｒ25、Ｒ26およびＲ27は、互いに独立して、水素、Ｃ1〜Ｃ25アルキル、−ＣＲ11Ｒ12−（ＣＨ2）m−Ａ6、シアノ、ハロゲン、−ＯＲ29、−Ｓ（Ｏ）pＲ30、またはフェニル（Ｃ1〜Ｃ8アルキルまたはＣ1〜Ｃ8アルコキシで１〜３回置換されていてもよい）を表し、ここで、Ｒ29は、Ｃ1〜Ｃ25アルキル、Ｃ5〜Ｃ12シクロアルキル、−ＣＲ11Ｒ12−（ＣＨ2）m−Ｐｈ、Ｃ6〜Ｃ24アリール、または飽和もしくは不飽和複素環基（環内原子を５〜７個含み、炭素原子と、窒素、酸素および硫黄からなる群から選択されるヘテロ原子１〜３個とからなる）を表し、Ｒ30は、Ｃ1〜Ｃ25アルキル、Ｃ5〜Ｃ12シクロアルキル、または−ＣＲ11Ｒ12−（ＣＨ2）m−Ｐｈを表し、Ｒ28は、Ｃ2〜Ｃ20ヘテロアリールまたはＣ6〜Ｃ24アリールを表し、ｐは、０、１、２または３を表し、ｍおよびｎは、０、１、２、３または４を表す〕を表す〕により表されるジケトピロロピロール（ＤＰＰ）である、請求項６記載の組成物。
【請求項８】
Ｒ13およびＲ14が、互いに独立して、Ｃ1〜Ｃ8アルキル、Ｃ5〜Ｃ12シクロアルキル（Ｃ1〜Ｃ8アルキルおよび／またはＣ1〜Ｃ8アルコキシで１〜３回置換されていてもよい）、フェニルまたは１−もしくは２−ナフチル（Ｃ1〜Ｃ8アルキルおよび／またはＣ1〜Ｃ8アルコキシで１〜３回置換されていてもよい）、あるいは−ＣＲ11Ｒ12−（ＣＨ2）m−Ａ6（式中、Ｒ11およびＲ12は、水素またはＣ1〜Ｃ4アルキルを表し、Ａ6は、Ｃ1〜Ｃ8アルキルおよび／またはＣ1〜Ｃ8アルコキシで１〜３回置換されていてもよいフェニルまたは１−もしくは２−ナフチルを表し、ｍは、０または１を表す）を表す、請求項６または７記載の組成物。
【請求項９】
Ａ4およびＡ5は、互いに独立して、
【化１９】
2008505240.tif 000021
（式中、Ｒ25は、Ｃ1〜Ｃ8アルキル、フェニル、１−または２−ナフチルである）を表す、請求項６〜８のいずれか１項記載の組成物。
【請求項１０】
ホスト発色団が、式（IV）：
【化２０】
2008505240.tif 000022
〔式中、
Ｒ53およびＲ54は、同一または異なっていてもよく、Ｃ1〜Ｃ25アルキル基（フッ素、塩素または臭素により置換されていてもよい）、アリル基（Ｃ1〜Ｃ4アルキルで１〜３回置換されていてもよい）、シクロアルキル基、シクロアルキル基（Ｃ1〜Ｃ4アルキル、ハロゲン、ニトロ、またはシアノで１〜３回置換されていてもよいフェニルにより１または２回縮合されていてもよい）、アルケニル基、シクロアルケニル基、アルキニル基、ハロアルキル基、ハロアルケニル基、ハロアルキニル基、ケトン基、アルデヒド基、エステル基、カルバモイル基、ケトン基、シリル基、シロキサニル基、Ａ8または−ＣＲ60Ｒ61−（ＣＨ2）m−Ａ8〔式中、
Ｒ60およびＲ61は、互いに独立して、水素、Ｃ1〜Ｃ4アルキル、またはフェニル（Ｃ1〜Ｃ4アルキルで１〜３回置換されていてもよい）を表し、
Ａ8は、アリールまたはヘテロアリール、特にフェニルまたは１−もしくは２−ナフチル（Ｃ1〜Ｃ8アルキルおよび／またはＣ1〜Ｃ8アルコキシで１〜３回置換されていてもよい）を表し、
ｍは、０、１、２、３または４を表す〕から選択され、
Ａ6およびＡ7は、互いに独立して、
【化２１】
2008505240.tif 000023
〔式中、Ｒ55は、水素原子、Ｃ1〜Ｃ12アルキル基、Ｃ1〜Ｃ8アルコキシ基、または式：
【化２２】
2008505240.tif 000024
（式中、Ｒ57、Ｒ58およびＲ59は、互いに独立して、水素、Ｃ1〜Ｃ8アルキルまたはＣ1〜Ｃ8アルコキシを表す）で示される基であり、
Ｒ56は、水素またはＣ1〜Ｃ8アルキルを表す〕から選択される〕により表されるジケトピロロピロールである、請求項６記載の組成物。
【請求項１１】
請求項１〜５のいずれか１項記載の化合物、または請求項６〜１０のいずれか１項記載の組成物を含むＥＬ装置。
【請求項１２】
（ａ）請求項１〜５のいずれか１項記載の化合物または請求項６〜１０のいずれか１項記載の組成物を、着色した高分子量有機材料の全重量に基づいて０．０１〜５０重量％、
（ｂ）高分子量有機材料を、着色した高分子量有機材料の全重量に基づいて９９．９９〜５０重量％、および
（ｃ）所望なら、慣用的な添加剤を効果的な量で、
含む組成物。
【請求項１３】
高分子量有機材料の着色用、蛍光トレーサとして、色変換媒体、固体色素レーザ、ＥＬレーザ、およびＥＬ装置中での、請求項１〜５のいずれか１項記載の蛍光ジケトピロロピロールの使用、または請求項６〜１０のいずれか１項記載の組成物の使用。
【手続補正２】
【補正対象書類名】明細書
【補正対象項目名】００３１
【補正方法】変更
【補正の内容】
【００３１】
を形成しており、場合により置換されたフェニル基で、例えば下基のように、
【手続補正３】
【補正対象書類名】明細書
【補正対象項目名】００５３
【補正方法】変更
【補正の内容】
【００５３】
（式中、Ｒ38は、水素またはＣ1〜Ｃ4アルキルである；
【手続補正４】
【補正対象書類名】明細書
【補正対象項目名】００５５
【補正方法】変更
【補正の内容】
【００５５】
である）である。